(57)【要約】【課題】加硫後の空気入りタイヤからセクターモールドを引き離す際に生じるブロックの欠損や変形を効果的に抑制する。【解決手段】加硫装置１のセクターモールド３０には、開口部分３０ｃ，３０ｄが形成される。開口部分３０ｃ，３０ｄには、トレッド部ＴＲ１にサイプを形成するブレード１０２が植設されたブレード植設部１００が嵌め込まれる。ブレード１０２は、ブレード植設部１００が開口部分３０ｃ，３０ｄに嵌め込まれた状態においてトレッド部ＴＲ１に押し当てられる。加硫後には、ブレード植設部１００がタイヤ径方向に沿ってタイヤ中心から外側に向かって引き抜かれ、続いて、セクターモールド３０がモールド抜き方向Ｎに沿ってタイヤＴＲから引き離される。【選択図】図５
2010023324.tif 000002
【特許請求の範囲】
【請求項１】
弧状の形状を有し、未加硫の空気入りタイヤである生タイヤのトレッド部にトレッドパターンを形成する複数のセクターモールドと、
前記セクターモールドの内周面から径方向内側に向かって突出し、前記トレッド部にサイプを形成するブレードと
を備え、
前記セクターモールドのそれぞれは、前記複数のセクターモールドによって形成される円環の中心と、前記内周面の中点とを通るラジアル線に沿って拡縮可能なタイヤ加硫用金型であって、
前記セクターモールドには、開口部分が形成され、
前記ブレードが植設されたブレード植設部を備え、
前記ブレード植設部は、前記開口部分に嵌め込まれ、
前記ブレード植設部は、前記ブレードの突出方向と反対方向に沿って前記セクターモールドから引き抜き可能であるタイヤ加硫用金型。
【請求項２】
前記ブレード植設部の引き抜き方向は、前記ラジアル線の方向と異なる請求項１に記載のタイヤ加硫用金型。
【請求項３】
前記ブレード植設部は、前記ブレード植設部が前記開口部分に嵌め込まれた状態において前記ブレード植設部の中央部分を通る接線と直交する法線方向に沿って引き抜き可能である請求項１または２に記載のタイヤ加硫用金型。
【請求項４】
前記ブレード植設部は、前記内周面の中点を含む中央領域を除く非中央領域に設けられる請求項１乃至３の何れか一項に記載のタイヤ加硫用金型。
【請求項５】
前記中央領域は、前記ラジアル線と、前記複数のセクターモールドによって形成される円環の中心から前記ブレード植設部の中央部分に延びる直線とによって形成される角度が５度以下となる領域である請求項４に記載のタイヤ加硫用金型。
【請求項６】
前記ブレード植設部は、タイヤ周方向に沿った前記セクターモールドの端部に設けられる請求項１乃至５の何れか一項に記載のタイヤ加硫用金型。
【請求項７】
前記ブレード植設部には、複数の前記ブレードが植設される請求項１乃至６の何れか一項に記載のタイヤ加硫用金型。
【請求項８】
前記ブレードは、
前記ブレードが植設される前記ブレード植設部の基盤部分から延びる胴体部分と、
前記胴体部分に連なる先端部分と
を有し、
前記先端部分の厚さは、前記胴体部分よりも厚い請求項１乃至７の何れか一項に記載のタイヤ加硫用金型。
【請求項９】
前記ブレードは、サイプの深さ方向において形状が変化する請求項１乃至８の何れか一項に記載のタイヤ加硫用金型。
【請求項１０】
弧状の形状を有し、未加硫の空気入りタイヤである生タイヤのトレッド部にトレッドパターンを形成する複数のセクターモールドと、
前記セクターモールドの内周面から径方向内側に向かって突出し、前記トレッド部にサイプを形成するブレードと
を備え、
前記セクターモールドのそれぞれは、前記複数のセクターモールドによって形成される円環の中心と、前記内周面の中点とを通るラジアル線に沿って拡縮可能なタイヤ加硫用金型を用いて、前記トレッド部に前記トレッドパターンを形成する空気入りタイヤの製造方法であって、
前記セクターモールドには、開口部分が形成され、
前記ブレードが植設されたブレード植設部を備え、
前記ブレード植設部は、前記開口部分に嵌め込まれ、
前記ブレード植設部は、前記ブレードの突出方向と反対方向に沿って前記セクターモールドから引き抜き可能であり、
前記生タイヤを前記複数のセクターモールドの内側に配設し、前記セクターモールドのそれぞれを前記ラジアル線に沿って縮径させる工程と、
前記複数のセクターモールドの内側に配設された前記生タイヤを加硫する加硫工程と
を有し、
前記加硫工程の完了後、前記ブレード植設部が前記ブレードの突出方向と反対方向に沿って前記開口部分から引き抜かれ、
前記開口部分から前記ブレード植設部が引き抜かれた後、前記セクターモールドのそれぞれは、前記ラジアル線に沿って加硫後の前記空気入りタイヤから引き離される空気入りタイヤの製造方法。
【発明の詳細な説明】
【技術分野】
【０００１】
本発明は、未加硫の空気入りタイヤの周方向に沿って分割して配設され、前記空気入りタイヤのトレッド部にトレッドパターンを形成するタイヤ加硫用金型、及び当該タイヤ加硫用金型を用いた空気入りタイヤの製造方法に関する。
【背景技術】
【０００２】
空気入りタイヤの製造工程には、一般的に、未加硫の空気入りタイヤ、いわゆる生タイヤに加硫反応を進行させる加硫工程が含まれる。加硫工程では、トレッドパターンやサイドウォール部の模様などを形成する割りモールドを備える加硫装置を用いて生タイヤが加硫される。
【０００３】
割りモールドは、サイドウォール部と当接する上下のモールド、及びトレッド部と当接する円環状のセクターモールドによって構成される。セクターモールドは、一般的にタイヤ周方向に沿って複数個（例えば、９個）に分割される。各セクターモールドは、未加硫の空気入りタイヤ、つまり、生タイヤの加硫装置への装着時、及び加硫後の空気入りタイヤの加硫装置からの取り外し時に、タイヤ径方向に沿って放射状に拡がる。
【０００４】
また、セクターモールドには、トレッド部にサイプを形成する、いわゆるブレードが設けられる。特に、氷雪路用の空気入りタイヤでは、このようなブレードがセクターモールドに多数設けられる。
【０００５】
このような割りモールドを備える加硫装置において、ブレードの延在方向を改良することによって、加硫後の空気入りタイヤからブレードをスムーズに引き抜く方法が提案されている（例えば、特許文献１）。
【特許文献１】特開２００７−３３１２７０号公報（第５頁、第１図）
【発明の開示】
【発明が解決しようとする課題】
【０００６】
ところで、近年、空気入りタイヤ、特に氷雪路用の空気入りタイヤに要求される性能が高まるに連れて、トレッド部に形成されるサイプの形状は、極めて複雑になる傾向がある。このような空気入りタイヤでは、ブレードの延在方向を改良しても、加硫後の空気入りタイヤからブレードをスムーズに引き抜けず、ブレード周辺のブロックの欠損や変形が生じ易い問題がある。
【０００７】
特に、タイヤ周方向に沿ったセクターモールドの端部に設けられるブレードの延在方向は、セクターモールドの中央部に設けられるブレードと比較して、セクターモールドがタイヤ径方向に沿って放射状に拡がる際におけるセクターモールドの移動方向との差が大きくなる。このため、タイヤ周方向に沿ったセクターモールドの端部に設けられるブレード周辺では、ブロックの欠損や変形が特に生じ易い。
【０００８】
そこで、本発明は、このような状況に鑑みてなされたものであり、加硫後の空気入りタイヤからタイヤ加硫用金型を引き離す際に生じるブロックの欠損や変形をさらに効果的に抑制できるタイヤ加硫用金型及び空気入りタイヤの製造方法を提供することを目的とする。
【課題を解決するための手段】
【０００９】
上述した課題を解決するため、本発明は、次のような特徴を有している。まず、本発明の第１の特徴は、弧状の形状を有し、未加硫の空気入りタイヤである生タイヤ（タイヤＴＲ）のトレッド部（トレッド部ＴＲ１）にトレッドパターンを形成する複数のセクターモールド（セクターモールド３０）と、前記セクターモールドの内周面から径方向内側に向かって突出し、前記トレッド部にサイプを形成するブレード（ブレード１０２，３３４，３３５）とを備え、前記セクターモールドのそれぞれは、前記複数のセクターモールドによって形成される円環の中心（中心線ＣＬ）と、前記内周面の中点（Ｍ）とを通るラジアル線（Ｌ）に沿って拡縮可能なタイヤ加硫用金型であって、前記セクターモールドには、開口部分（開口部分３０ｃ，３０ｄ）が形成され、前記ブレードが植設されたブレード植設部（ブレード植設部１００）を備え、前記ブレード植設部は、前記開口部分に嵌め込まれ、前記ブレード植設部は、前記ブレードの突出方向と反対方向に沿って前記セクターモールドから引き抜き可能であることを要旨とする。
【００１０】
本発明の第１の特徴によれば、タイヤ加硫用金型の開口部分に嵌め込まれたブレード植設部に植設されたブレードによって、生タイヤのトレッド部にサイプが形成される。
【００１１】
ブレード植設部は、タイヤ加硫用金型の開口部分に嵌め込まれているため、ブレードが植設されたブレード植設部だけをタイヤ加硫用金型から取り外すことができる。つまり、タイヤ加硫用金型が加硫後の空気入りタイヤのトレッド部に押し付けられた状態で、トレッド部に形成されたサイプからブレードだけをタイヤ加硫用金型よりも先に引き離すことができる。
【００１２】
加硫後、ブレードは、加硫後の空気入りタイヤのサイプの内面に密着されるため、ブレードと、タイヤ加硫用金型のブレード以外の場所とでは剥離抗力が異なる。そのため、タイヤ加硫用金型を一度に引き離す場合、その剥離抗力が一層増大する。
【００１３】
これに対して、本発明の特徴によれば、ブレードとタイヤ加硫用金型とを別々に引き離すことができるため、剥離抗力が高くなるサイプ周囲のブロックに不要な応力が加わることを防止することができる。
【００１４】
従って、本発明の特徴によれば、加硫後の空気入りタイヤからタイヤ加硫用金型を引き離す際に生じるブロックの欠損や変形を効果的に抑制できる。
【００１５】
本発明の第２の特徴は、本発明の第１の特徴に係り、前記ブレード植設部の引き抜き方向は、前記ラジアル線の方向と異なることを要旨とする。
【００１６】
本発明の第３の特徴は、本発明の第１または第２の特徴に係り、前記ブレード植設部は、前記ブレード植設部が前記開口部分に嵌め込まれた状態において前記ブレード植設部の中央部分を通る接線と直交する法線方向に沿って引き抜き可能であることを要旨とする。
【００１７】
本発明の第４の特徴は、本発明の第１乃至第３の何れか一つの特徴に係り、前記ブレード植設部は、前記内周面の中点を含む中央領域（Ｓｃ）を除く非中央領域に設けられることを要旨とする。
【００１８】
本発明の第５の特徴は、本発明の第４の特徴に係り、前記中央領域は、前記ラジアル線と、前記複数のセクターモールドによって形成される円環の中心から前記ブレード植設部の中央部分に延びる直線とによって形成される角度が５度以下となる領域であることを要旨とする。
【００１９】
本発明の第６の特徴は、本発明の第１乃至第５の何れか一つ特徴に係り、前記ブレード植設部は、タイヤ周方向に沿った前記セクターモールドの端部（端部３０ｅ，３０ｆ）に設けられることを要旨とする。
【００２０】
本発明の第７の特徴は、本発明の第１乃至第６の何れか一つの特徴に係り、前記ブレード植設部（ブレード植設部１１０）には、複数の前記ブレード（ブレード１１２，１１３）が植設されることを要旨とする。
【００２１】
本発明の第８の特徴は、本発明の第１乃至第７の何れか一つの特徴に係り、ブレード（ブレード１２２）は、前記ブレードが植設される前記ブレード植設部（ブレード植設部１２０）の基盤部分から延びる胴体部分（胴体部分１２２ａ）と、前記胴体部分に連なる先端部分（先端部分１２２ｂ）とを有し、前記先端部分の厚さ（ｄ１）は、前記胴体部分の厚さ（ｄ２）よりも厚いことを要旨とする。
【００２２】
本発明の第９の特徴は、本発明の第１乃至第８の何れか一つの特徴に係り、前記ブレードは、サイプの深さ方向（Ｈ方向）において形状が変化することを要旨とする。
【００２３】
本発明の第１０の特徴は、弧状の形状を有し、未加硫の空気入りタイヤである生タイヤのトレッド部にトレッドパターンを形成する複数のセクターモールドと、前記セクターモールドの内周面から径方向内側に向かって突出し、前記トレッド部にサイプを形成するブレードとを備え、前記セクターモールドのそれぞれは、前記複数のセクターモールドによって形成される円環の中心と、前記内周面の中点とを通るラジアル線に沿って拡縮可能なタイヤ加硫用金型を用いて、前記トレッド部に前記トレッドパターンを形成する空気入りタイヤの製造方法であって、前記セクターモールドには、開口部分が形成され、前記ブレードが植設されたブレード植設部を備え、前記ブレード植設部は、前記開口部分に嵌め込まれ、前記ブレード植設部は、前記ブレードの突出方向と反対方向に沿って前記セクターモールドから引き抜き可能であり、前記生タイヤを前記複数のセクターモールドの内側に配設し、前記セクターモールドのそれぞれを前記ラジアル線に沿って縮径させる工程と、前記複数のセクターモールドの内側に配設された前記生タイヤを加硫する加硫工程とを有し、前記加硫工程の完了後、前記ブレード植設部が前記ブレードの突出方向と反対方向に沿って前記開口部分から引き抜かれ、前記開口部分から前記ブレード植設部が引き抜かれた後、前記セクターモールドのそれぞれは、前記ラジアル線に沿って加硫後の前記空気入りタイヤから引き離されることを要旨とする。
【発明の効果】
【００２４】
本発明の特徴によれば、加硫後の空気入りタイヤからタイヤ加硫用金型を引き離す際に生じるブロックの欠損や変形をさらに効果的に抑制できるタイヤ加硫用金型及び空気入りタイヤの製造方法を提供することができる。
【発明を実施するための最良の形態】
【００２５】
本発明に係る加硫装置の実施形態について、図面を参照しながら説明する。具体的には、（１）加硫装置の構成、（２）加硫装置の動作、（３）セクターモールドの構成、（４）ブレード植設部の構成、（５）ブレード植設部を引き離す動作の説明、（６）ブレード植設部の変形例、（７）加硫装置を用いた加硫方法、（８）実施例、（９）評価、（１０）作用・効果、（１１）その他の実施形態、について説明する。
【００２６】
なお、以下の図面の記載において、同一または類似の部分には、同一または類似の符号を付している。ただし、図面は模式的なものであり、各寸法の比率などは現実のものとは異なることに留意すべきである。
【００２７】
したがって、具体的な寸法などは以下の説明を参酌して判断すべきものである。また、図面相互間においても互いの寸法の関係や比率が異なる部分が含まれていることは勿論である。
【００２８】
（１）加硫装置の構成
図１は、本実施形態に係る加硫装置１を説明する構成図である。加硫装置１は、基台支持部１１、下基台１２、上基台１３、及び支持ロッド１４を有する。基台支持部１１は、基礎Ｂ上に設置される。下基台１２は、方形状を有しており、基台支持部１１によって支持される。下基台１２は、基礎Ｂに対して水平に配置される。
【００２９】
支持ロッド１４は、所定の長さを有する。支持ロッド１４は、上下方向に沿って配置される。加硫装置１は、４本の支持ロッド１４を有する。４本の支持ロッド１４は、下基台１２の四隅にそれぞれ配置される。
【００３０】
支持ロッド１４の下基台１２との連結部分の逆の端部には、上基台１３が取り付けられる。４本の支持ロッド１４は、上基台１３を支持している。
【００３１】
上基台１３は、下基台１２と略同一形状を有する。上基台１３は、下基台１２と所定の間隔を隔てている。上基台１３には、後述するピストンロッド４１、ガイドロッド４３が挿通される開口部１３ａ，１３ｂが形成される。上基台１３は、基礎Ｂに対して水平に配置される。
【００３２】
下基台１２の中央部には、開口部１２ａが設けられている。開口部１２ａには、ブラダー装置２０が設置される。ブラダー装置２０は、上下方向に昇降可能に設置される。
【００３３】
ブラダー装置２０は、ブラダー２１と、ピストンロッド２２と、制御シリンダー２３と、給排管２４とを有する。
【００３４】
ブラダー２１は、可撓性材料（例えば、ブチルゴム）により形成される。ブラダー２１の上側の端部２１ａは、上部クランプ２５に固定される。ブラダー２１の下側の端部２１ｂは、下部クランプ２６に固定される。ブラダー２１の外側には、タイヤＴＲが載置される。ブラダー２１には、加熱及び加圧された流体Ｒが送り込まれる。ブラダー２１は、送り込まれた流体ＲによってタイヤＴＲの内側で膨張し、ドーナツ状になる。
【００３５】
ピストンロッド２２の中心軸は、上下方向、すなわち、基礎Ｂに対して垂直方向に沿って配置される。ピストンロッド２２の下端部には、制御シリンダー２３が連結される。ピストンロッド２２及び制御シリンダー２３は、下基台１２の略中心に沿って配置されている。
【００３６】
制御シリンダー２３は、ピストンロッド２２の下方に設けられる。制御シリンダー２３は、ピストンロッド２２の動きを制御する。すなわち、制御シリンダー２３は、ピストンロッド２２を上下方向（矢印Ｖ）に沿って移動させる。
【００３７】
給排管２４は、下部クランプ２６に連結されている。給排管２４は、ブラダー２１内部に、所定の温度、所定の圧力に設定された流体Ｒを導入する。または、導入された流体Ｒを排出する。流体Ｒは、加熱・加圧された蒸気、窒素ガス等である。給排管２４は、図示しない導入装置に接続されている。
【００３８】
加硫装置１は、セクターモールド３０及び下側サイドモールド３１を有する。セクターモールド３０及び下側サイドモールド３１は、下基台１２のブラダー装置２０の周囲に配置される。
【００３９】
セクターモールド３０は、タイヤＴＲのトレッド部を形成するモールドである。下側サイドモールド３１は、タイヤＴＲのサイドウォール部を型付けする。下側サイドモールド３１は、タイヤＴＲの一方のサイドウォール部を成形するためのモールドである。セクターモールド３０及び下側サイドモールド３１には、ヒータ等の加熱部（不図示）が設けられる。
【００４０】
加硫装置１は、セクターモールド３０を移動させる移動部３２を有する。移動部３２は、所定の可動レンジを有する。移動部３２は、セクターモールド３０を加硫装置１に載置されるタイヤＴＲのタイヤ径方向（矢印Ｈ）に沿って移動させる。図１では、セクターモールド３０は、可動レンジのタイヤ径方向の外側限に位置している。
【００４１】
加硫装置１は、プレート４０を有する。プレート４０は、下基台１２と上基台１３との間に配置される。プレート４０の四隅には、支持ロッド１４が挿通される。
【００４２】
加硫装置１は、プレート４０を昇降させるための機構として、ピストンロッド４１、制御シリンダー４２、ガイドロッド４３とを有する。ピストンロッド４１は、上基台１３の略中央部に設けられた開口部１３ａに挿通される。また、ガイドロッド４３は、上基台１３の所定位置に設けられた開口部１３ｂに挿通される。
【００４３】
ピストンロッド４１は、プレート４０の略中央部に連結される。ガイドロッド４３は、プレート４０の所定位置に連結される。ピストンロッド４１は、制御シリンダー４２によって、基礎Ｂに対して上下方向（矢印Ｖ）に移動可能とされる。従って、プレート４０は、支持ロッド１４に沿って移動される。図１では、プレート４０は、垂直方向の上限に位置している。
【００４４】
プレート４０の下面には、アウターリング３４が配置される。アウターリング３４は、円環状を有する。リング内径は、複数のセクターモールド３０を組み合わせた際のセクターモールド３０の外郭と略同径である。また、アウターリング３４のリング中心は、ブラダー装置２０の中心軸と同軸である。
【００４５】
加硫装置１は、サイドプレート４４を有する。サイドプレート４４は、支持ロッド４５を介してプレート４０に取り付けられる。サイドプレート４４には、上側サイドモールド３３が設けられる。上側サイドモールド３３は、タイヤＴＲのサイドウォールを型付けする。
【００４６】
上側サイドモールド３３は、未加硫のタイヤＴＲのタイヤ径方向に沿ったタイヤ側面部を形成するモールドである。上側サイドモールド３３は、加熱部を有する（不図示）。
【００４７】
本実施形態において、基台支持部１１、下基台１２、上基台１３、支持ロッド１４、プレート４０、ピストンロッド４１は、コンテナ部を構成する。すなわち、プレート４０に配置されるアウターリング３４、下基台１２に移動可能に設置されるセクターモールド３０は、コンテナ部に含まれる。
【００４８】
（２）加硫装置の動作
加硫装置１の動作を説明する。図２，図３は、セクターモールド３０のみを示す分解斜視図である。セクターモールド３０は、タイヤＴＲのトレッド部の型付けを行うためのモールドであり、タイヤ周方向（矢印Ｄ）に沿って、複数個（例えば、９個）に分割される。
【００４９】
セクターモールド３０には、開口部分３０ｃ，３０ｄ（後述する）が形成されており、開口部分３０ｃ，３０ｄには、タイヤＴＲのトレッド部ＴＲ１にサイプを形成するブレード（ブレード）が植設されたブレード植設部１００が嵌め込まれている。
【００５０】
セクターモールド３０は、加硫装置１の下基台１２上に、移動部３２を介して円弧状に配置される。
【００５１】
図２は、未加硫のタイヤＴＲを装置内部に載置するとき、又は加硫後のタイヤＴＲを装置内部から取り出すときの各セクターモールド３０の配置状態を示す図である。図３は、加硫時における各セクターモールド３０の配置状態を示す図である。図２に示す矢印Ｈの方向は、図１の矢印Ｈの方向と同じである。
【００５２】
図２，３に示すように、セクターモールド３０の内周面の中点Ｍと、複数のセクターモールド３０によって形成される円環の中心ＣＬとを通るラジアル線Ｌに沿って拡縮する。すなわち、セクターモールド３０は、Ｈ方向に沿って拡縮する。
【００５３】
未加硫のタイヤＴＲは、加硫装置１のブラダー装置２０の周りに載置される。未加硫のタイヤＴＲのカーカス部（不図示）は、上部クランプ２５，下部クランプ２６に固定される。
【００５４】
加硫装置１は、制御シリンダー４２によってピストンロッド４１を押し下げる。これにより、プレート４０が下降する。すなわち、プレート４０の下側面に取り付けられたアウターリング３４が下基台１２に向けて下降する。また、プレート４０の下降と共にサイドプレート４４に設けられた上側サイドモールド３３が下降する。
【００５５】
セクターモールド３０は、アウターリング３４の下降動作に同期して、タイヤ径方向の外側から中心に向かって移動する。アウターリング３４は、セクターモールド３０に当接し、更に可動下限まで下降する。
【００５６】
図４は、セクターモールド３０、下側サイドモールド３１、及び上側サイドモールド３３とが互いに組み合わされた状態におけるタイヤ幅方向の断面図である。図４に示す断面図は、図２におけるＣ１−Ｃ１線に沿った断面図である。
【００５７】
図４に示すように、未加硫のタイヤＴＲは、ブラダー２１と、セクターモールド３０と、下側サイドモールド３１と、上側サイドモールド３３との間に形成される空間（加硫空間という）の内部に収容される。タイヤＴＲは、ビード部、カーカス層、ベルト層（不図示）を備える一般的なタイヤである。タイヤＴＲは、トレッド部ＴＲ１、サイドウォール部ＴＲ２、及びサイドウォール部ＴＲ３を有する。
【００５８】
セクターモールド３０は、トレッドパターンを形成する凹凸が形成されるトレッドパターン形成面３０ａと、傾斜面３０ｂとを有する。また、セクターモールド３０には、開口部分３０ｃ，３０ｄが形成されている。開口部分３０ｃ，３０ｄには、ブレード植設部１００が嵌め込まれる。セクターモールド３０は、タイヤ幅方向の断面において、移動部３２（図２には不図示）に取り付けられている端部の長さが上側の端部の長さよりも長い。
【００５９】
下側サイドモールド３１は、タイヤＴＲのサイドウォール部ＴＲ２を型付けするサイドウォール形成面３１ａを有する。上側サイドモールド３３は、タイヤＴＲのサイドウォール部ＴＲ３を型付けするサイドウォール形成面３３ａを有する。
【００６０】
アウターリング３４は、傾斜面３０ｂに当接する傾斜面３４ａを有する。アウターリング３４は、タイヤ幅方向の断面において、プレート４０（図２には不図示）の下面に取り付けられている端部の長さが下側の端部の長さよりも長い。
【００６１】
従って、アウターリング３４の傾斜面３４ａがセクターモールド３０の傾斜面３０ｂに当接した状態から、更に矢印Ｖの下方向にアウターリング３４が下降されると、アウターリング３４の傾斜面３４ａとセクターモールド３０の傾斜面３０ｂとが摺動する。
【００６２】
このとき、セクターモールド３０と、下側サイドモールド３１と、上側サイドモールド３３とを互いに密着させる方向（すなわち、タイヤ径方向に沿ってタイヤの外側から中心に向かう方向）に力が作用する。これにより、セクターモールド３０と、下側サイドモールド３１と、上側サイドモールド３３とは互いに強固に密着させられて、加硫空間が形成される。
【００６３】
加硫時には、加熱及び加圧された流体Ｒがブラダー２１に吹き込まれることにより、タイヤＴＲの内側でブラダー２１が膨張する。タイヤＴＲは、膨張したブラダー２１によって、セクターモールド３０、下側サイドモールド３１、及び上側サイドモールド３３に型付けされる。これにより、タイヤＴＲのトレッドパターンを含む外観形状が形成される。
【００６４】
加硫が終了すると、セクターモールド３０からブレード植設部１００がタイヤＴＲから引き離される。続いて、セクターモールド３０がタイヤＴＲから引き離される。
【００６５】
加硫装置１では、アウターリング３４及び上側サイドモールド３３が上昇するとともに、セクターモールド３０がタイヤ径方向の中心から外側に向かって移動する。すなわち、セクターモールド３０と、下側サイドモールド３１と、上側サイドモールド３３とが引き離される。
【００６６】
（３）セクターモールドの構成
図５は、セクターモールド３０の一部を示す斜視図である。図５に示すように、セクターモールド３０のトレッドパターン形成面３０ａには、タイヤＴＲのトレッド部ＴＲ１のブロックを形成するブロック形成部３０１，３０２，３０３と、ショルダー部分を形成するショルダー形成部３０４，３０５とが形成される。ブロック形成部３０１，３０２，３０３、及びショルダー形成部３０４，３０５は、トレッドパターン形成面３０ａよりも凹んでいる。
【００６７】
ブロック形成部３０１，３０２，３０３は、それぞれ底部３０１ａ，３０２ａ，３０３aを有する。ショルダー形成部３０４，３０５は、それぞれ底部３０４ａ，３０５ａを有する。底部３０１ａ乃至３０５ａは、タイヤＴＲのトレッド部ＴＲ１にトレッド面を形成する。
【００６８】
タイヤ幅方向に隣接するブロック形成部３０１とブロック形成部３０２との間には、壁部３１１が形成される。また、ブロック形成部３０１とブロック形成部３０３との間には、壁部３１２が形成される。タイヤ幅方向に隣接するブロック形成部３０２とショルダー形成部３０４との間には、壁部３１３が形成される。また、ブロック形成部３０３とショルダー形成部３０５との間には、壁部３１４が形成される。
【００６９】
壁部３１１乃至３１４は、トレッド部ＴＲ１に主溝を形成する。壁部３１１乃至３１４の高さが主溝の深さを決定する。
【００７０】
タイヤ周方向に隣接するブロック形成部３０１同士の間には、壁部３２１が形成される。タイヤ周方向に隣接するブロック形成部３０２同士の間には、壁部３２２が形成される。タイヤ周方向に隣接するブロック形成部３０３同士の間には、壁部３２３が形成される。タイヤ周方向に隣接するショルダー形成部３０４同士の間には、壁部３２４が形成される。タイヤ周方向に隣接するショルダー形成部３０５同士の間には、壁部３２５が形成される。
【００７１】
壁部３２１乃至３２５は、トレッド部ＴＲ１に横溝を形成する。壁部３２１乃至３２５の高さが横溝の深さを決定する。
【００７２】
セクターモールド３０のブロック形成部３０１、及びショルダー形成部３０４，３０５は、タイヤＴＲのトレッド部ＴＲ１にサイプを形成するブレード３３１，３３４，３３５を有する。ブレード３３１は、ブロック形成部３０１の底部３０１ａに植設される。ここで、サイプとは、溝幅が０．４〜０．７ｍｍ程度の溝である。
【００７３】
また、ブレード３３４，３３５は、ショルダー形成部３０４，３０５の底部３０４ａ，３０５ａに植設される。ブロック形成部３０１の底部３０１ａ、又はショルダー形成部３０４，３０５の底部３０４ａ，３０５ａからブレードの端部までの高さがサイプの深さになる。
【００７４】
開口部分３０ｃ，３０ｄには、ブレードが植設されたブレード植設部１００が嵌め込まれる。ブレード植設部１００の外側の形状は、開口部分３０ｃ，３０ｄの内側の形状と略同形状を有しており、加硫工程において、ブレード植設部１００と開口部分３０ｃ，３０ｄとの隙間からトレッド部ＴＲ１のゴムがはみ出さないようになっている。また、加硫工程に係る圧力によってブレード植設部１００が抜けないようになっている。
【００７５】
ここで、開口部分３０ｃ，３０ｄは、セクターモールド３０のタイヤ周方向に沿った端部に形成される。開口部分３０ｃ，３０ｄは、タイヤ周方向（矢印Ｄ）に沿ったセクターモールド３０の中心を含む中央領域Ｓｃを除く非中心領域に形成される。
【００７６】
図３を用いて、中央領域Ｓｃを説明する。中央領域Ｓｃとは、ラジアル線Ｌと、複数のセクターモールド３０によって形成される円環の中心ＣＬからブレード植設部の中央部分ｍに延びる直線ｌとによって形成される角度φが５度以下となる領域である。開口部分３０ｃ，３０ｄは、この中央領域Ｓｃ以外の非中心領域に形成される。
【００７７】
（４）ブレード植設部の構成
図６は、ブレード植設部１００を説明する構成図である。図６に示すように、ブレード植設部１００は、植設部本体１０１と、ブレード１０２とを有する。植設部本体１０１には、ブレード１０２が植設される。ブレード１０２は着脱可能であってもよい。ブレード１０２は、ブレード植設部１００が開口部分３０ｃ，３０ｄに嵌め込まれた状態でトレッド部ＴＲ１に押し当てられる。
【００７８】
ブレード１０２は、タイヤＴＲのトレッド部ＴＲ１にサイプを形成する。ブレード１０２の、タイヤ周方向に沿った断面の形状は、タイヤ周方向に振幅を有する波形になっている。
【００７９】
（５）ブレード植設部を引き離す動作の説明
図７（ａ）乃至（ｃ）は、セクターモールド３０からブレード植設部１００を引き離す動作を説明する模式図である。図７（ａ）乃至（ｃ）の仮想線は、タイヤＴＲを示す。
【００８０】
図７における矢印Ｎは、セクターモールド３０をタイヤＴＲから引き離す方向（モールド抜き方向という）を示す。モールド抜き方向は、セクターモールド３０の中心におけるタイヤ径方向に沿ってタイヤの中心から外側に向かう方向と一致する。
【００８１】
加硫が完了したとき、図７（ａ）に示すように、セクターモールド３０とタイヤＴＲとが密着した状態になっている。すなわち、ブレード１０２は、タイヤＴＲのトレッド部ＴＲ１に埋め込まれている。
【００８２】
加硫装置１は、９つに分割されたセクターモールド３０を有する。従って、ブレード１０２の延在方向とモールド抜き方向Ｎとのなす角度θは、セクターモールド３０のタイヤ周方向に沿った端部３０ｅ，３０ｆほど大きくなる。端部３０ｅ，３０ｆに配置されたブレード１０２の延在方向とモールド抜き方向Ｎのなす角度θは、最大で２０度程度になる。
【００８３】
すなわち、モールド抜き方向Ｎに沿ってセクターモールド３０を引き離すとき、端部３０ｅ，３０ｆに配置されたブレード１０２にかかる引抜抗力（摩擦力）は、中心部に配置されたブレード１０２よりも大きくなるため、セクターモールド３０を一度にタイヤＴＲから引き離すことが難しくなる。
【００８４】
加硫装置１では、まず最初に、図７（ｂ）に示すように、ブレード植設部１００がタイヤ径方向に沿ってタイヤ中心から外側に向かって引き抜かれる。
【００８５】
続いて、図７（ｃ）に示すように、セクターモールド３０がモールド抜き方向Ｎに沿ってタイヤＴＲから引き離される。
【００８６】
（６）ブレード植設部の変形例
図８乃至図１１は、ブレード植設部の変形例を示す。図８に示すブレード植設部１１０は、複数のブレードが植設される。すなわち、ブレード植設部１１０は、植設部本体１１１と、ブレード１１２，１１３とを有する。ブレード１１２，１１３のタイヤ周方向に沿った断面の形状は、タイヤ周方向に振幅を有する波形を有する。ブレード１１２，１１３はともに植設部本体１１１に植設される。
【００８７】
図９に示すブレード植設部１２０は、植設部本体１２１と、ブレード１２２とを有する。ブレード１２２は、植設部本体１２１から延びる胴体部分１２２ａと、胴体部分１２２ａに連なる先端部分１２２ｂとを有する。先端部分１２２ｂの厚さは、胴体部分１２２ａの厚さよりも厚い。
【００８８】
図１０は、図９のＣ２−Ｃ２線に沿った断面を示す。先端部分１２２ｂのブレードの厚さｄ２は、ブレード１２２の胴体部分１２２ａのブレードの厚さｄ１よりも大きい。すなわち、ｄ２＞ｄ１の関係になっている。図９，図１０に示したように、先端部分１２２ｂの断面が円形のブレード１２２を鍵穴ブレードという。
【００８９】
図１１に示すブレード植設部１３０は、植設部本体１３１と、ブレード１３２とを有する。ブレード１３２は、サイプの溝深さ方向（Ｈ方向）、トレッド幅方向（Ｖ方向）及びタイヤ周方向（Ｄ方向）において形状が変化するブレードである。すなわち、ブレード１３２は、３次元形状を有するブレードである。
【００９０】
（７）加硫装置を用いた加硫方法
次に、加硫装置１を用いた加硫方法について説明する。図１２は、加硫方法を説明するフローチャートである。図１２に示すように、本実施形態に係る加硫方法は、収容工程Ｓ１と、加硫工程Ｓ２と、取出工程Ｓ３とを有する。
【００９１】
収容工程Ｓ１では、加硫装置１に未加硫のタイヤＴＲが収容される。加硫装置１は、上側サイドモールド３３及びアウターリング３４が設けられたプレート４０を下降させるとともに、セクターモールド３０のそれぞれをラジアル線Ｌに沿って縮径させる。
【００９２】
アウターリング３４の下降に伴ってセクターモールド３０が締め付けられることにより、セクターモールド３０と、下側サイドモールド３１と、上側サイドモールド３３との隙間が密閉される。タイヤＴＲは、加硫空間に収容され、密閉される。
【００９３】
加硫工程Ｓ２では、加硫装置１は、未加硫のタイヤＴＲに所定の条件で加硫処理を行う。加硫工程Ｓ２において、ブレード１０２は、ブレード植設部１００がセクターモールド３０に形成された開口部分３０ｃ，３０ｄに嵌め込まれた状態において、加硫前のタイヤＴＲのトレッド部ＴＲ１に押し当てられる。
【００９４】
取出工程Ｓ３では、加硫後のタイヤＴＲが加硫装置１から取り出される。加硫工程Ｓ２の完了後、最初に、ブレード植設部１００がタイヤ径方向に沿って引き離される。続いて、セクターモールド３０がタイヤ径方向に沿って加硫後のタイヤＴＲから引き離される。
【００９５】
（８）実施例
実施例として、セクターモールドに開口部分を形成し、ブレード植設部を開口部分に嵌め込み可能にした加硫装置により空気入りタイヤを製造した。また、比較例として、従来の加硫装置を用いて空気入りタイヤを製造した。タイヤに関する仕様は、下記の通りである。セクターモールドに対してブレード植設部のみを着脱可能とした他は、全て同条件とした。
【００９６】
タイヤサイズ：２２５／８０Ｒ  １７．５
モールド剥離剤：水性シリコン（濃度：１０％ｗｔ）
ブレード形状：鍵穴ブレード
（９）評価
本発明の効果を明確にするために、ブロック欠け不良率及びブロック倒れ不良率は、加硫後のタイヤのトレッド部に形成されたブロックのうち、不良個数を目視により測定した。結果を表１に示す。
【表１】
2010023324.tif 000003
【００９７】
表１に示す結果により、実施例の加硫装置、すなわち、取出工程において、鍵穴ブレードが植設されたブレード植設部のみを先に引き離す加硫装置は、ブロック欠け不良率及びブロック倒れ不良率がよくなることが判った。
【００９８】
（１０）作用・効果
加硫装置１によれば、セクターモールド３０の開口部分３０ｃ，３０ｄに嵌め込まれたブレード植設部１００に植設されたブレード１０２によって、加硫前のタイヤＴＲのトレッド部ＴＲ１にサイプが形成される。
【００９９】
ブレード植設部１００は、セクターモールド３０の開口部分３０ｃ，３０ｄに嵌め込まれているため、ブレード１０２が植設されたブレード植設部１００だけをセクターモールド３０から取り外すことができる。つまり、セクターモールド３０が加硫後のタイヤＴＲのトレッド部ＴＲ１に押し付けられた状態で、トレッド部ＴＲ１に形成されたサイプからブレード１０２だけをセクターモールド３０よりも先に引き離すことができる。
【０１００】
加硫後、ブレード１０２は、加硫後のタイヤＴＲのサイプに密着するため、ブレード１０２と、セクターモールド３０のブレード１０２以外の場所（例えば、壁部３１１乃至３１４、底部３０１ａ乃至３０５ａ）とでは剥離抗力が異なる。そのため、セクターモールド３０を一度に引き離す場合には、その剥離抗力が一層増大する。
【０１０１】
特に、モールド抜き方向Ｎに沿ってセクターモールド３０を引き離すとき、端部３０ｅ，３０ｆに配置されたブレード１０２にかかる引抜抗力（摩擦力）は、中心部に配置されたブレード１０２よりも大きくなるため、セクターモールド３０を一度にタイヤＴＲから引き離すことが難しくなる。
【０１０２】
これに対して、加硫装置１では、ブレード植設部１００がタイヤ径方向に沿ってタイヤ中心から外側に向かって引き抜かれ、続いて、セクターモールド３０がモールド抜き方向Ｎに沿ってタイヤＴＲから引き離される。そのため、端部３０ｅ，３０ｆに配置されたブレード１０２によって形成されたサイプ周囲のブロックにモールド引き抜き時に余分な応力が加わることを防止することができる。
【０１０３】
従って、加硫装置１のセクターモールド３０を用いることにより、加硫後のタイヤＴＲからセクターモールド３０を引き離す際に生じるブロックの欠損や変形を効果的に抑制できる。
【０１０４】
セクターモールド３０の開口部分３０ｃ，３０ｄは、タイヤ周方向（矢印Ｄ）に沿ったセクターモールド３０の端部３０ｅ，３０ｆに形成される。セクターモールド３０は、ブレード植設部１００のみを引き離すことができる。従って、ブレード１０２の延在方向とモールド抜き方向Ｎとのなす角度θが大きくなる端部３０ｅ，３０ｆに配置されるブレードによって形成されるブロックの欠損や変形を効果的に抑制できる。
【０１０５】
（１１）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０６】
この加硫装置１によって製造されるタイヤＴＲは、いわゆるブレードによってサイプが形成されるタイヤであれば広く適用可能である。特に、氷雪路用の空気入りタイヤは、複雑な形状を有するサイプを有することから、氷雪用の空気入りタイヤの加硫装置として好適に用いられる。
【０１０７】
図５を用いて説明した、セクターモールド３０のトレッドパターン形成面３０ａに形成されたブロック形成部３０１乃至３０３，ショルダー形成部３０４，３０５の形状は、一例であって、図５に示す例に限定されない。
【０１０８】
また、ブレードの数及び形状は、図５に示す例に限定されない。また、図６，８，１１では、ブレードの形状が直線で構成されているように説明したが、ブレードの形状は、曲線で構成されていてもよい。
【０１０９】
ブレードが植設されるタイヤＴＲのセクターモールド３０のトレッドパターン形成面３０ａは、セクターピースとして着脱可能に形成されていてもよい。
【０１１０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１１１】
【図１】本発明の実施形態に係る空気入りタイヤの加硫装置を説明する構成図である。
【図２】本発明の実施形態に係る加硫装置のセクターモールドの移動動作を説明する図である。
【図３】本発明の実施形態に係る加硫装置のセクターモールドの移動動作を説明する図である。
【図４】本発明の実施形態に係る加硫装置の加硫時におけるセクターモールド周辺の構成を説明する拡大断面図である。
【図５】本発明の実施形態に係る加硫装置のセクターモールドの構成図である。
【図６】本発明の実施形態に係る加硫装置のブレード植設部の構成図である。
【図７】（ａ）乃至（ｃ）は、本発明の実施形態に係る加硫装置において、ブレード植設部を加硫後のタイヤから引き離す動作を説明する模式図である。
【図８】ブレードの変形例を説明する構成図である。
【図９】ブレードの変形例を説明する構成図である。
【図１０】図９のＣ２−Ｃ２線に沿った断面図である。
【図１１】ブレードの変形例を説明する構成図である。
【図１２】本発明の実施形態に係る加硫方法を説明するフローチャートである。
【符号の説明】
【０１１２】
１…加硫装置、１１…基台支持部、１２…下基台、１２ａ…開口部、１３…上基台、１３ａ…開口部、１３ａ，１３ｂ…開口部、１４…支持ロッド、２０…ブラダー装置、２１…ブラダー、２１ａ…端部、２１ｂ…端部、２２…ピストンロッド、２３…制御シリンダー、２４…給排管、２５…上部クランプ、２６…下部クランプ、３０…セクターモールド、３０ａ…トレッドパターン形成面、３０ｂ…傾斜面、３０ｃ，３０ｄ…開口部分、３０ｅ，３０ｆ…端部、３１…下側サイドモールド、３１ａ…サイドウォール形成面、３２…移動部、３３…上側サイドモールド、３３ａ…サイドウォール形成面、３４…アウターリング、３４ａ…傾斜面、４０…プレート、４１…ピストンロッド、４２…制御シリンダー、４３…ガイドロッド、４４…サイドプレート、４５…支持ロッド、１００…ブレード植設部、１０１…植設部本体、１０２…ブレード、１１０…ブレード植設部、１１１…植設部本体、１１２，１１３…ブレード、１２０…ブレード植設部、１２１…植設部本体、１２２…ブレード、１２２ａ…胴体部分、１２２ｂ…先端部分、１３０…ブレード植設部、１３１…植設部本体、１３２…ブレード、３０１，３０２，３０３…ブロック形成部、３０４，３０５…ショルダー形成部、３０１ａ〜３０５ａ…底部、３１１〜３１４…壁部、３２１〜３２５…壁部、３３１，３３４，３３５…ブレード、θ…角度、φ…角度、Ｂ…基礎、ＣＬ…中心線、Ｄ…タイヤ周方向、Ｈ…タイヤ径方向、Ｌ…ラジアル線、Ｍ…中点、Ｎ…モールド抜き方向、Ｒ…流体、Ｓ１…収容工程、Ｓ２…加硫工程、Ｓ３…取出工程、Ｓｃ…中央領域、ＴＲ…タイヤ、ＴＲ１…トレッド部、ＴＲ２…サイドウォール部、ＴＲ３…サイドウォール部、Ｖ…上下方向、ｌ…直線、ｍ…中央部分
【図１】
2010023324.tif 000004
【図２】
2010023324.tif 000005
【図３】
2010023324.tif 000006
【図４】
2010023324.tif 000007
【図５】
2010023324.tif 000008
【図６】
2010023324.tif 000009
【図７】
2010023324.tif 000010
【図８】
2010023324.tif 000011
【図９】
2010023324.tif 000012
【図１０】
2010023324.tif 000013
【図１１】
2010023324.tif 000014
【図１２】
2010023324.tif 000015